(57)【要約】【課題】セルの近隣リストＮＢＬ（Ｃｉ）を生成する方法を提供する。【解決手段】本方法は、最適サーバマップＢＳＭＰ上に、各エリアが特定のセルＣｉに対応するエリアを定義するマッピングステップＭＰＳと、要素面ＥＳから構成されるグリッドを作成する再分割ステップＳＤＳと、各特定のセルＣｉの各要素面ＥＳについて、適した通信品質を提供する可能性のある無線基地局ＢＳｉ、ｋを識別する走査ステップＳＣＳ（ＥＳ）と、走査ステップＳＣＳ（ＥＳ）中に識別されたセルのセットの識別を近隣リストＮＢＬ（Ｃｉ）に格納する編集ステップＣＭＰＳ（ＢＳｉ、ｋ）とを含む。本発明は、電気通信が配備されるべきエリア全体に対して予想される通信条件の調査を実行することによって、現場における干渉レベルの実際の測定を必要とせずに、高精度の近隣リストを提供する。【選択図】図１
2004187294.tif 000002
【特許請求の範囲】
【請求項１】
複数の無線基地局および別の複数の移動送受信機を含むセルラー通信システムにおいてセルの近隣リストを生成する方法であって、各セルが無線基地局を含みセルの近隣リストを１個備え、
前記通信システムを描写する最適サーバマップ上にエリアを定義するマッピングステップであって、各エリアは、特定のセルに対応し、該特定のセル内で移動送受信機が該特定のセルに関連する無線基地局によって最高の通信品質を提供されるマッピングステップと、
要素面から構成されるグリッドを作成する、前記最適サーバマップの再分割ステップと、
各特定のセルの各要素面について、該要素面内に位置する移動送受信機に適した通信品質を提供する可能性のある少なくとも１つの無線基地局を識別する走査ステップと、
各特定のセルに関係する前記近隣リストに、該特定のセルに対応する前記エリアの前記走査中に識別された無線基地局を含むセルのセットの識別を格納する編集ステップと
を含む方法。
【請求項２】
少なくとも１つのカウンタがそれぞれの所与のセルに関連づけられ、該カウンタは、特定のセルの前記走査ステップ中に、該所与のセルに含まれる前記無線基地局が該特定のセルに含まれる要素面内に位置する移動送受信機に適した通信品質を提供する可能性があると識別されるごとにインクリメントされる請求項１に記載の方法。
【請求項３】
特定のセルの前記走査ステップ中における所与のセルに関連づけられているカウンタのインクリメントは、該所与のセルの前記走査ステップ中に該特定のセルに関連づけられているもう１つのカウンタの等価なインクリメントをトリガする請求項２に記載の方法。
【請求項４】
前記編集ステップ中に特定のセルの前記近隣リストに格納されるべき識別を有するセルは、該特定のセルのすべての要素面の前記走査ステップの終了時に最高値を示す所定数のカウンタが関連づけられているセルである請求項２または３に記載の方法。
【請求項５】
前記編集ステップ中に特定のセルの前記近隣リストに格納されるべき識別を有するセルは、該特定のセルのすべての要素面の前記走査ステップの終了時に所定のしきい値を超える値を示すカウンタが関連づけられているセルである請求項２または３に記載の方法。
【請求項６】
走査ステップの終了時にカウンタに格納されているそれぞれの値が、各カウンタに関連する相対値を生成するために、該走査ステップ中にインクリメントされたカウンタの総数によって除算され、前記編集ステップ中に特定のセルの前記近隣リストに格納されるべき識別を有するセルは、所定のしきい値の比を超える相対値が関連づけられているセルである請求項２または３に記載の方法。
【請求項７】
移動送受信機が前記要素面内に位置する時に該移動送受信機に送信されるべきアクティブセットに無線基地局が現れる場合に、該無線基地局が、前記要素面内に位置する前記移動送受信機に適した通信品質を提供する可能性があるとみなされる請求項１ないし６のいずれか１項に記載の方法。
【請求項８】
前記走査ステップは以下のように規定されるサブステップ、すなわち、
互いに接する少なくとも２つの別個の要素面を同時に覆うためのグライディングウィンドウを作成するウィンドウ生成サブステップと、
それぞれの異なるセルに含まれる異なる無線基地局が前記ウィンドウによって覆われる前記別個の要素面において最高の通信品質を提供するかどうかを判定するウィンドウ分析サブステップと、
前記異なる無線基地局が前記ウィンドウによって覆われる前記別個の要素面において最高の通信品質を提供する場合、前記異なるセルの１つに関連する各カウンタに格納されている値をインクリメントするインクリメントサブステップと
を含み、
以上のサブステップは、近隣リストが生成されるべき前記特定のセルの少なくとも１つの要素面が前記グライディングウィンドウによって覆われていない限り反復的に実行されることを目的とする請求項２ないし６のいずれか１項に記載の方法。
【請求項９】
前記インクリメントサブステップ中にインクリメントされるための各カウンタは、重み付けられた値ごとにインクリメントされ、
該重み付けられた値は、同一無線基地局が前記最高の通信品質を提供する一体化したエリアをともに形成する要素面の個数によって決まり、
該一体化したエリアは、前記グライディングウィンドウによって覆われる前記別個の要素面の少なくとも１つを含む請求項８に記載の方法。
【請求項１０】
同一無線基地局が最高の通信品質を提供する一体化したエリアを前記走査サブステップ中に識別し、こうして識別された各エリアに含まれる要素面の個数を計数する重み付けサブステップであって、該個数が前記重み付けられた値となる重み付けサブステップをさらに含む請求項９に記載の方法。
【発明の詳細な説明】
【技術分野】
【０００１】
本発明は、各セルが無線基地局を含むとともにセルの近隣リストを１個備えた、複数の無線基地局および別の複数の移動送受信機を含むセルラー通信システムにおいてセルの近隣リストを生成する方法に関する。
【背景技術】
【０００２】
セルは、所与の無線基地局が最良の通信品質を提供する地理的位置のセットとして定義されることが可能である。一般に３Ｇシステムと呼ばれる第３世代のセルラー通信システムが標準仕様によって規定され、そのうち３ＧＰＰＴＳ２５３３１仕様には、３Ｇシステムに含まれる任意の所与のセルには近隣リストが割り当てられるべきであることが記載されている。このようなリストは、当該所与のセル内に位置する移動送受信機との間でソフトハンドオーバー構成にある無線基地局に対応するセルのアクティブセットに必ずしも属していない近隣セルであるが、上記移動送受信機に適した通信品質を提供する可能性があるような近隣セルを含むことを目的としている。
【０００３】
しかし、３ＧＰＰＴＳ２５３３１標準仕様には、このような近隣リストを生成するために使用される実際のプロセスは記載されていない。種々の文書にこの目的のための方法が記載されているが、そのうちに欧州特許出願ＥＰ１１８９４６８Ａ１がある。この特許出願には、所与の場所に位置する移動送受信機に対して、当該移動送受信機と所与の無線基地局との間の通信にそれぞれ悪影響を及ぼす可能性のある種々の干渉レベルを計算する方法が記載されている。各干渉レベルはその後、各無線基地局が上記所与の場所に位置する移動送受信機と通信を確立することに成功する確率値を決定するために、対応する通信の信号レベルと比較される。最高の確率値のスコアを取った基地局を含むセルが、上記所与の場所を包含するサービスエリアを有するセルの近隣リストに入る資格があることになる。
【発明の開示】
【発明が解決しようとする課題】
【０００４】
既知の方法は、極めて多数の地理的位置に対する数多くの干渉レベルを表すデータの収集を伴う。というのは、３Ｇ通信システムは通常、数万平方キロメートルにわたって分散した数千個の無線基地局および数十万個の移動送受信機を含み、それらがすべて、それらの相対的な位置および配置に応じてさまざまな程度で相互に干渉するはずだからである。
【０００５】
このようなデータの収集は、例えばいわゆる運転テストによって、関連する測定を現場で実際に実行するための相当の資源を必要とする。運転テスト中には、通信システムが配備されている地表全体にわたって人間の試験員が歩き回り、上記干渉レベルを測定する。
【０００６】
また、既知の方法の実施は、すべての干渉レベルおよび確率値を編集するための相当の処理資源とともに、そのような編集に必要な全データを格納するための巨大なメモリ空間をさらに必要とする。
【０００７】
既知の方法に従って測定され編集されるべきデータの量は、上記の分析を少数の相異なる位置に限定し、そのような分析の結果をシステム全体に拡張するために補間技法を用いることによって削減されるかもしれないが、このような手法は、一部の通信に局所的に影響するかもしれない孤立した現象を見逃す可能性が高いため、あまり信頼できない。
【０００８】
さらに、言うまでもなく、この既知の方法は、すでに配備されている通信システムでしか使用されない場合もあり、その場合、実際の配備の前に当該配備を最適化する目的でそのようなシステムをシミュレートするためには使用できない。
【０００９】
特定のセルの近隣リストを生成するもう１つの方法として、地理的分析に基づくもの、すなわち、当該特定のセルに対応する無線基地局の近傍に位置する無線基地局を含むセルのみを選択することによるものがあり得る。
【００１０】
このような地理的方法は、実施は容易であるが、精度に欠ける。というのは、すべての無線基地局の一般的配置を考慮するだけだからである。実際、各セルは、別のセルに属する無線基地局のほうがより良好な通信品質を提供し得るポケット（孤立地帯）に局所的に含まれる場合があるが、そうしたポケットはこのような一般的な地理的方法では見過ごされてしまう。
【課題を解決するための手段】
【００１１】
本発明は、セルラー通信システムにおける近隣リストを高精度で生成する方法を提供することによって上記の問題を解決することを目的とする。本方法は、現場における干渉レベルの実際の測定を必要としない。本方法は、上記通信が配備されるべきエリア全体に対して予想される通信条件の調査を実行することができる。
【００１２】
この目的のために、本発明のソフトウェア指向の一態様によれば、冒頭の段落に記載の方法は、上記通信システムを描写する最適サーバマップ上にエリアを定義するマッピングステップであって、各エリアは特定のセルに対応し、当該特定のセル内で移動送受信機が当該特定のセルに関連する無線基地局によって最高の通信品質を提供されるマッピングステップと、要素面から構成されるグリッドを作成する上記最適サーバマップの再分割ステップと、上記特定のセルの各要素面について、当該要素面内に位置する移動送受信機に適した通信品質を提供する可能性のある少なくとも１つの無線基地局を識別する走査ステップと、各特定のセルに関係する近隣リストに、当該特定のセルに対応するエリアの走査中に識別された無線基地局を含むセルのセットの識別を格納する編集ステップとを含む。
【００１３】
本発明による方法は、その実施のために、最適サーバマップおよびそれに関連するデータしか必要としないため、上記方法は、上記マップによって記述される通信システムの実際の配備の前に、上記通信システムに含まれる無線基地局の位置または送信電力のような、当該配備の種々のパラメータを最適化する目的で使用可能である。
【００１４】
本発明によれば、適した通信品質を提供するただ１つの（以下でさらに詳細に説明するように、複数のこともあり得るが）無線基地局が、最適サーバマップのそれぞれの所与の要素面について識別されなければならない。このような識別は、干渉パラメータの複雑な計算を必要とすることもないし、相異なる無線基地局によって当該所与の要素面において提供されるいくつかの通信品質間の比較も必要としないため、処理能力およびメモリ空間の両方の節減が可能となる。
【００１５】
したがって、適した通信品質を提供するとみなされたすべての無線基地局の識別と、特定のセルに対応するエリアの走査中にそれらがそのように識別された回数とは、容易に格納されることが可能である。そして、当該特定のセルの近隣リストの構成要素となるために選択されるセルのセットが、上記走査中に最も多い回数識別された基地局を含むセルによって形成されることが可能であり、これは判定が容易である。
【００１６】
走査ステップ中に識別される無線基地局のスコアを付けるには種々の手段が使用可能である。本発明の有利な実施の形態によれば、少なくとも１つのカウンタがそれぞれの所与のセルに関連づけられる。当該カウンタは、特定のセルの走査ステップ中に、当該所与のセルに含まれる無線基地局が当該特定のセルに含まれる要素面内に位置する移動送受信機に適した通信品質を提供する可能性があると識別されるごとにインクリメントされることを目的としている。
【００１７】
本発明の特に有利な実施の形態によれば、特定のセルの走査ステップ中における所与のセルに関連づけられているカウンタのインクリメントは、当該所与のセルの走査ステップ中に当該特定のセルに関連づけられているもう１つのカウンタの等価なインクリメントをトリガする。
【００１８】
本発明のこの実施の形態は、近隣性リンクを互いに共有するカウンタの対称的ローディングを可能にし、こうして生成される近隣リストの関連性を向上させることになる。
【００１９】
特定のセルの近隣リストに列挙されるべきセルを選択するには種々の手段が使用可能である。
【００２０】
本発明の特定の実施の形態によれば、編集ステップ中に特定のセルの近隣リストに格納されるべき識別を有するセルは、当該特定のセルのすべての要素面の走査ステップの終了時に最高値を示す所定数のカウンタが関連づけられているセルである。
【００２１】
本発明のもう１つの特定の実施の形態によれば、編集ステップ中に特定のセルの近隣リストに格納されるべき識別を有するセルは、当該特定のセルのすべての要素面の走査ステップの終了時に所定のしきい値を超える値を示すカウンタが関連づけられているセルである。
【００２２】
本発明のさらにもう１つの特定の実施の形態によれば、走査ステップの終了時にカウンタに格納されているそれぞれの値が、各カウンタに関連する相対値を生成するために、当該走査ステップ中にインクリメントされたカウンタの総数によって除算される。その場合、編集ステップ中に特定のセルの近隣リストに格納されるべき識別を有するセルは、所定のしきい値の比を超える相対値が関連づけられているセルである。
【００２３】
上記のように、複数の無線基地局が、所与の要素面内に位置する移動送受信機に適した通信品質を提供する可能性があるとみなされてもよい。本発明のもう１つの特定の実施の形態では、移動送受信機が上記要素面内に位置する時に当該移動送受信機に送信されるべきアクティブセットに現れる無線基地局が、適した通信品質を提供する可能性があるとみなされる。
【００２４】
本発明のこの実施の形態は、各要素面に関係する情報を都合よく利用する。その情報は、ハンドオーバープロセス（引き継ぎ作業）の管理を計画する目的で無線計画ツールによって生成されることが可能であるため、このような場合、走査ステップを実行するためには、少量の追加的な処理能力しか必要としない。
【００２５】
このようなアクティブセットに含まれる情報は、３ＧＰＰＴＳ２５３３１仕様に従って、任意の所与のセルに属する移動送受信機が、ソフトハンドオーバー構成にある基地局に対応するセルを識別することになる。
【００２６】
本発明のもう１つの実施の形態では、走査ステップは以下のように規定されるサブステップ、すなわち、互いに接する少なくとも２つの別個の要素面を同時に覆うためのグライディングウィンドウを作成するウィンドウ生成サブステップと、それぞれの異なるセルに含まれる異なる無線基地局が上記ウィンドウによって覆われる別個の要素面において最高の通信品質を提供するかどうかを判定するウィンドウ分析サブステップと、上記異なる無線基地局が上記ウィンドウによって覆われる別個の要素面において最高の通信品質を提供する場合、上記異なるセルの１つに関連する各カウンタに格納されている値をインクリメントするインクリメントサブステップとを含み、これらのサブステップは、近隣リストが生成されるべき特定のセルの少なくとも１つの要素面がグライディングウィンドウによって覆われていない限り反復的に実行されることを目的とする。
【００２７】
本発明のこの実施の形態は、カウンタのローディングを可能にすることにより、上記で説明したように容易に処理される統計情報の生成を可能にし、このローディングは、最適サーバマップによって提供されるデータ、すなわち、当該マップの各要素面について最高の通信品質を提供する各基地局の識別のみに基づいて実行される。
【００２８】
本発明のもう１つの実施の形態によれば、インクリメントサブステップ中にインクリメントされることが意図される各カウンタは、重み付けられた値ごとにインクリメントされ、この重み付けられた値は、同一無線基地局が最高の通信品質を提供する一体化したエリアをともに形成する要素面の個数によって決まり、当該一体化したエリアはグライディングウィンドウによって覆われる上記別個の要素面の少なくとも１つを含む。
【００２９】
本発明のこの好ましい実施の形態は、所与のセルが最高の通信品質を提供する孤立した要素面と、このような面のグループとを別々に分離して扱うことを可能にする。それらのグループ化された要素面は、上記の孤立した要素面より有意であり、したがって編集ステップを見越して、より大きい重みが与えられるべきである。
【００３０】
上記の方法は、例えば、同一無線基地局が最高の通信品質を提供する一体化したエリアを走査サブステップ中に識別し、こうして識別された各エリアに含まれる要素面の個数を計数する重み付けサブステップであって、当該個数が上記重み付けられた値を構成する重み付けサブステップを都合よく含んでもよい。
【００３１】
上記した本発明の特徴は、他の特徴とともに、添付の図面に関連して与えられる以下の記載を読むことでより明確になるであろう。
【発明を実施するための最良の形態】
【００３２】
図１は、３Ｇ通信システムの最適サーバマップＢＳＭＰを表すごく概略的な図である。このマップは、本発明による方法に含まれるマッピングステップを実行することによって生成されたものである。このマッピングステップは、上記最適サーバマップＢＳＭＰ上のエリアを規定することを目的としており、各エリアは特定のセルに対応し、当該特定のセル内で移動送受信機が当該特定セルに関連する無線基地局によって最高の通信品質を提供されることになる。この最適サーバマップＢＳＭＰは、無線基地局ＢＳ１〜ＢＳ１６を含むセルのサービスエリアＡＣ１〜ＡＣ１６を示している。これは、所与のセルのサービスエリアＡＣｋ内では、当該セルに含まれる無線基地局ＢＳｋが、当該サービスエリアＡＣｋ内に位置する移動送受信機に対して、可能な最良の通信品質を提供するであろうことを意味する。この通信品質は、結合損失（ＣＬ）値、受信信号符号電力（ＲＳＣＰ）、共通パイロットチャネル（ＣＰＣＨ）強度、エネルギーチップ／雑音（ＥＣ／ＮＯ）等のようなパラメータを分析することによって評価されることが可能である。
【００３３】
この例では、無線基地局ＢＳ４を含む特定のセルが、３個の異なるサービスエリアＡＣ４１、ＡＣ４２およびＡＣ４３から構成されるサービスエリアを示すものとして選び出されている。このようなことは、地形特徴によって時々起こることがある。その場合、所与のサービスエリア（この例ではエリアＡＣ２、ＡＣ５またはＡＣ７）が１個または数個のポケット（孤立地帯）を含み、そこでは、名目上当該所与のエリアに関連する基地局（この例では基地局ＢＳ２、ＢＳ５またはＢＳ７）ではない基地局ＢＳ４のような基地局が、このようなポケット内に位置する移動送受信機に最良の通信サービスを提供することになる。
【００３４】
ここに示した状況では、移動送受信機ＭＳｉと無線基地局ＢＳ４との間で無線リンクＬＮＫを通じて通信が確立される。この通信は、その品質が同一または他のセルで進行中の通信によって悪影響を及ぼされるという特徴を有する。この品質、またはその損失は、信号対雑音比またはキャリア対干渉比のような干渉パラメータを用いることによって定量化することが可能である。
【００３５】
３ＧＰＰＴＳ２５３３１仕様にしたがって、隣接リストは、各セルに対して生成されなければならない。
【００３６】
特定のセルの近隣リストは、最適サーバマップの地理的特徴のみを考慮することによって、すなわち、特定のセルのサービスエリアに隣接するサービスエリアを有するセルのみを選択することによって、生成されてもよい。したがってこの例では、基地局ＢＳ４を含むセルの近隣リストは、無線基地局ＢＳ２、ＢＳ３、ＢＳ５、ＢＳ６、ＢＳ７およびＢＳ１３を含むセルを含むことになる。最後のＢＳ１３がこの近隣セルリストに含まれるのは、ＡＣ４３がポケットとなっているためである。
【００３７】
このような地理的方法は、実施は容易であるが、精度に欠ける。というのは、この方法はすべてのセルの一般的配置を考慮するだけだからである。実際、各セルは、別のセルに属する無線基地局のほうがより良好な通信品質を提供し得る、例えばポケットエリアＡＣ４１またはＡＣ４３よりはるかに小さいポケットに局所的に含まれる場合があるが、そうしたポケットは上記の一般的な地理的方法では見過ごされてしまう。
【００３８】
本発明は、このような小さいポケットを考慮に入れることを可能にし、したがって上記の地理的方法よりもはるかに精度が高く、この目的のために多大な追加的処理能力を必要としない。
【００３９】
図２は、セルラー通信システムに含まれる各特定のセルＣｉについてセルの近隣リストを生成するこのような方法を示すフローチャートである。本発明によれば、この方法は、上記のような最適サーバマップＢＳＭＰを生成するためのマッピングステップＭＰＳに加えて、以下のステップを含む。すなわち、前の図のサービスエリアＡＣ４１、ＡＣ４２およびＡＣ４３に示したような、要素面ＥＳから構成されるグリッドを作成する再分割ステップＳＤＳと、上記特定のセルＣｉの各要素面ＥＳについて、当該要素面ＥＳ内に位置する移動送受信機に最良の通信品質を提供する可能性のある少なくとも１つの無線基地局ＢＳｉ、ｋを識別する走査ステップＳＣＳ（ＥＳ）と、上記特定のセルＣｉに対応するエリアの走査中に識別された無線基地局ＢＳｉ、ｋを含むセルのセットの識別を上記所与のセルに関係する近隣リストに格納する編集ステップＣＭＰＳ（ＢＳｉ、ｋ）とを含む。
【００４０】
本発明によれば、適した通信品質を提供するただ１つの（複数のこともあり得るが）無線基地局が、最適サーバマップのそれぞれの所与の要素面ＥＳについて識別されなければならない。このような識別は、干渉パラメータの複雑な計算を必要とすることもないし、相異なる無線基地局によって当該所与の要素面ＥＳにおいて提供されるいくつかの通信品質間の比較も必要としないため、処理能力およびメモリ空間の両方の節減が可能となる。
【００４１】
したがって、適した通信品質を提供するとみなされたすべての無線基地局の識別と、特定のセルに対応するエリアの走査中にそれらがそのように識別された回数とは、本発明のおかげで容易に格納されることになる。そして、当該特定のセルの近隣リストの構成要素となるために選択されるセルのセットが、上記走査中に最も多い回数識別された基地局を含むセルによって形成されることが可能であり、これは判定が容易である。
【００４２】
図３は、図１に示した無線基地局ＢＳ１、ＢＳ２、ＢＳ３、ＢＳ４、・・・、ＢＳ１５、ＢＳ１６を含むセルにそれぞれ関連するカウンタＣＴ４、１、ＣＴ４、２、ＣＴ４、３、ＣＴ４、４、・・・、ＣＴ４、１５、ＣＴ４、１６の内容を示す図である。走査ステップ中に、各カウンタは、その関連する無線基地局が、図１に示したグリッド付きのエリアＡＣ４１、ＡＣ４２およびＡＣ４３によって形成されるセルＣ４に含まれる要素面について適した通信品質を提供する可能性があるとして識別されるごとにインクリメントされている。予想できるように、上記グリッド付きエリアＡＣ４１、ＡＣ４２およびＡＣ４３を含むサービスエリアを有する特定のセルＣ４に関連する無線基地局ＢＳ４に関連するカウンタＣＴ４、４は、最高値Ｖ４を示しているのに対して、上記エリアＡＣ４１、ＡＣ４２およびＡＣ４３に地理的に隣接するエリアＡＣ２、ＡＣ３を有するセルに関連する他のカウンタも、有意な値Ｖ２およびＶ３を示している。
【００４３】
本発明による方法の目的は、ここでは、上記グリッド付きエリアＡＣ４１、ＡＣ４２およびＡＣ４３を含むサービスエリアを有するこの特定のセルＣ４の近隣のセルのリストを設定することであるので、カウンタＣＴ４、４は、好ましくは、上記特定のセルＣ４に関係する編集ステップの実行中に捨てられることになる。
【００４４】
本発明の特定の実施の形態によれば、無線基地局ＢＳ４を包含するセルの近隣リストに格納されるべき識別を有するセルは、上記特定のセルのすべての要素面の走査ステップの終了時に最高値を示すカウンタＣＴ４、４以外の所定の個数Ｐのカウンタが関連づけられているセルである。ここで説明している非常に単純化された例では、Ｐが２に等しいと選択された場合、そして図示していない他のすべてのカウンタがＶ２およびＶ３より低い値を示している場合、無線基地局ＢＳ４に関連するセルの近隣リストを形成するセルは、無線基地局ＢＳ２およびＢＳ３に関連するセルとなる。
【００４５】
本発明のもう１つの特定の実施の形態によれば、無線基地局ＢＳ４を包含するセルの近隣リストに格納されるべき識別を有するセルは、当該特定のセルのすべての要素面の走査ステップの終了時に所定のしきい値Ｖｒｅｆを超える値を示すカウンタＣＴ４、４以外のカウンタが関連づけられているセルである。ここで説明している非常に単純化された例では、図示していない他のすべてのカウンタが所定のしきい値Ｖｒｅｆより低い値を示している場合、無線基地局ＢＳ４に関連するセルの近隣リストを形成するセルは、無線基地局ＢＳ２、ＢＳ３およびＢＳ１６に関連するセルとなる。
【００４６】
本発明のさらにもう１つの特定の実施の形態によれば、走査ステップの終了時にカウンタＣＴｉ、ｋに格納されているそれぞれの値Ｖｋが、各カウンタに関連する相対値Ｖｋ／Ｎを生成するために、当該走査ステップ中にインクリメントされたカウンタの総数Ｎによって除算される。その場合、編集ステップ中に特定のセルの近隣リストに格納されるべき識別を有するセルは、所定のしきい値の比を超える相対値が関連づけられているセルである。
【００４７】
図４は、本発明の特定の実施の形態に従って、適した通信品質を提供する無線基地局が走査ステップ中にどのようにして識別され得るかを示す図である。この実施の形態では、ハンドオーバー管理目的で無線ネットワークコントローラによって生成されるアクティブセットが考慮される。この図は、とりわけ、図１に記載した無線基地局ＢＳ４に関連するポケットエリアＡＣ４１を覆うグリッドＧＲＤ（Ｃ４）の一部の詳細図である。このグリッドＧＲＤ（Ｃ４）は、走査ステップの実行中に走査されるべき要素面を定義する。そのうち、要素面ＥＳ（ｘ、ｙ）は、横および縦の座標がそれぞれｘおよびｙのところに位置する。ここに図示した例では、上記要素面ＥＳ（ｘ、ｙ）内に位置する移動送受信機にデータを送信するために使用されるアクティブセットＡＳ（１、２、３、４、６、８、９）は、無線基地局ＢＳ１、ＢＳ２、ＢＳ３、ＢＳ６、ＢＳ８およびＢＳ９を含むセルの識別を含むため、それぞれのカウンタＣＴ４、１、ＣＴ４、２、ＣＴ４、３、ＣＴ４、４、ＣＴ４、６、ＣＴ４、８およびＣＴ４、９が、この要素面ＥＳ（ｘ、ｙ）の走査の結果として、例えば１単位だけインクリメントされることになる。次の要素面、例えばＥＳ（ｘ＋１、ｙ）が走査される時、当該次の要素面ＥＳ（ｘ＋１、ｙ）に関連するアクティブセットの内容に応じて、同じまたは他のカウンタがインクリメントされ、以下同様に、このセルＣ４に対応するエリアに含まれるすべての要素面が走査されるまで続けられ、その終了時点で、種々のカウンタが図３に示したような種々のそれぞれの値を示すことになる。
【００４８】
図５は、本発明のもう１つの特定の実施の形態に従って、適した通信品質を提供する無線基地局が特定のセルＣｉの走査ステップ中にどのようにして識別され得るかを示す図である。この実施の形態では、走査ステップは以下のように規定されるサブステップ、すなわち、互いに接する少なくとも２つの別個の要素面ＥＳ（ｘ、ｙ）およびＥＳ（ｘ−１、ｙ＋１）を同時に覆うためのグライディングウィンドウＧＷを作成するウィンドウ生成サブステップと、それぞれの異なるセルに含まれる異なる無線基地局ＢＳｉおよびＢＳｊが上記ウィンドウＧＷによって覆われる別個の要素面ＥＳ（ｘ−１、ｙ＋１）およびＥＳ（ｘ、ｙ）において最高の通信品質を提供するかどうかを判定するウィンドウ分析サブステップと、上記異なる無線基地局ＢＳｉおよびＢＳｊが上記ウィンドウＧＷによって覆われる別個の要素面ＥＳ（ｘ−１、ｙ＋１）およびＥＳ（ｘ、ｙ）において最高の通信品質を提供する場合、上記異なるセルの１つに関連する各カウンタＣＴｉ、ｉまたはＣＴｉ、ｊに格納されている値をインクリメントするインクリメントサブステップＩｎｃｒ（ＣＴｉ、ｉ；ＣＴｉ、ｊ）とを含み、これらのサブステップは、近隣リストが生成されるべき特定のセルＣｉの少なくとも１つの要素面ＥＳがグライディングウィンドウＧＷによって覆われていない限り反復的に実行されることを目的とする。
【００４９】
本発明のこの特定の実施の形態では、異なる要素面に関連するカウンタは、当該カウンタに関連する無線基地局が当該異なる要素面について最高の通信品質をそれぞれ提供すると思われる場合、同時にインクリメントされる。こうして、特定のセルＣｉを覆うグリッドＧＲＤ（Ｃｉ）全体が走査される結果、図３に示したような図が得られ、そこでは種々のカウンタＣＴｉ、ｋが種々のそれぞれの値Ｖｋを示している。したがって、この実施の形態は、最適サーバマップを作成するためにすでに生成されているデータを使用するだけであり、信号対雑音比やキャリア対干渉比のような干渉パラメータの複雑な計算を必要としない。
【００５０】
図６は、本発明の好ましい実施の形態を示す図である。これによれば、インクリメントサブステップ中にインクリメントされるためのカウンタＣＴｉ、ｍは、重み付けられた値だけインクリメントされる。この重み付けられた値は、同じ無線基地局が最高の通信品質を提供する一体化したエリアをともに形成する要素面の個数によって決まり、当該一体化したエリアは、グライディングウィンドウＧＷによって覆われる上記別個の要素面の少なくとも１つを含む。
【００５１】
ここに図示されている例では、グライディングウィンドウＧＷは、グリッドＧＲＤ（Ｃｉ）によって定義される９個の要素面のブロックを同時に覆うための正方形である。これらの要素面のうちの個数Ｎ＝２個が、上記グリッドＧＲＤ（Ｃｉ）によって覆われる特定のセルＣｉに含まれる無線基地局ＢＳｉが最高の通信品質を提供する一体化したエリアをともに形成し、グライディングウィンドウＧＷはそれ以外に別の近隣の無線基地局ＢＳｍが最高の通信品質を提供する個数Ｍ＝７個の要素面を覆っている。この場合、無線基地局ＢＳｍに関連するカウンタＣＴｉ、ｍは、グライディングウィンドウＧＷの現在位置に対応するウィンドウ分析サブステップ中に、Ｎに等しい重み付けられた値だけＭ回、すなわち合計値ＤＩ＝１４だけインクリメントされ、この図中の矢印で示すように、グライディングウィンドウＧＷの次の位置に対応するウィンドウ分析サブステップ中にも再び、Ｎに等しい重み付けられた値だけＭ回インクリメントされることになる。
【００５２】
このようなインクリメント−重み付け技法は、所与のセルが最高の通信品質を提供する孤立した要素面と、このような面のグループとを別々に分離して扱うことを可能にする。それらのグループ化された要素面は、上記の孤立した要素面より有意であり、したがって編集ステップを見越して、より大きい重みが与えられるべきである。
【００５３】
実際、このインクリメント−重み付け技法がなければ、グライディングウィンドウＧＷの中心に位置する単一の孤立した要素面は、その最適サービング無線基地局ＢＳｍに関連するカウンタ（この例ではＣＴｉ、ｍ）の８だけのインクリメントを生成する一方、ここに図示したような２個の隣接する要素面はカウンタＣＴｉ、ｍの１４だけのインクリメントしか生成しないであろう。これに対して、上記の重み付け技法によれば、それらの要素面は合計２８だけのインクリメントを生成することになり、これは、単一の無線基地局が最高の通信品質を提供する単一のブロックを形成する複数の要素面の有意性を、上記技法がどのようにして増大させることを可能にするかを示している。
【図面の簡単な説明】
【００５４】
【図１】本発明による方法に含まれるマッピングステップの実行中に用いられる簡略化された最適サーバマップを表す概略図である。
【図２】本発明による方法で実行される連続するステップを示すフローチャートである。
【図３】本発明の有利な実施の形態で使用されるカウンタの内容を示す図である。
【図４】本発明の特定の実施の形態による方法に含まれる走査ステップの実行中に走査される要素面を表す図である。
【図５】本発明のもう１つの特定の実施の形態による方法に含まれる走査ステップの実行中に走査される要素面を表す図である。
【図６】本発明の好ましい実施の形態による方法に含まれる走査ステップの実行中に走査される要素面を表す図である。
【図１】
2004187294.tif 000003
【図２】
2004187294.tif 000004
【図３】
2004187294.tif 000005
【図４】
2004187294.tif 000006
【図５】
2004187294.tif 000007
【図６】
2004187294.tif 000008